(57)【要約】      （修正有）【課題】完全な排出、完全な吸引による安定した海中発電活動において、大容量排水の排出活動を継続可能な排水継続装置を提供する。【解決手段】深海海中に於いての圧搾方法に依る排出は一方的な１回のみの排出であればごく簡単であるが、それを継続する事となれば当然大変な事となるが、鯨、鮪等を考察すれば深海でも簡単に口を開閉しており、本海中発電船よりの吸引方法を別途に考察設置をし、排出活動である圧搾排出と交互に行なえば、人間が自然に行なう呼吸活動と同じ事となり、深海水圧の恐怖の必要性が殆んど無くなる事となり、徹底した安全対策と不必要な「海中空気、空間」部分の排除を徹底すればより安全な海中発電船が出現する事となる。【選択図】図１
2014189274.tif 000002
【特許請求の範囲】
【請求項１】
海中発電船内貯留水槽の排水を深海海中に継続された放出を次の通りに行なう事とする。
海中発電船内の貯留水槽に直接設置接続がされた図１の通りの三層の各々排水筒の設置を行ない、まず一番内側筒の「圧搾排出内筒装置筒」内の「排出継続稼動昇降装置」の数ｔ〜数十ｔの重量鋼鉄の降下重量圧力とこの昇降装置の上方部分の「海中発電船内排水貯留水槽」からの排水深度差に依る降下稼動圧力双方の強力な排圧排出力の出現に依り、深海外海へまず「深海外海直接排水内筒接続排出筒」より外海へ直接排出を行なう事とする。
同時に下方「圧搾排出内筒排出口」部分よりの排圧力の排出に依りその「圧搾排出中間装置筒」内に流入して来る排水に対してのより排圧効果を上げる為に本装置筒内上方部分に設置がされた「中間筒内海中空間」への高圧空気の噴出を行ない、より強力な排圧力の発生に依る双方の相乗効果に依る「排出外周筒内直接吸引負圧活用海水圧排圧調整口」部分よりも深海外海へと排出排水が行なわれる事となる。
又「海中発電船内排水貯留水槽」より直接常時流入がされている一番外側外周部分設置の「貯留圧搾排水外周筒」内に設置がされた「外周筒内海中空間」の減圧が行なわれる事に依り排出の為の「浮力活用排水圧調整開閉装置」の開口放出が行なわれている為に、本装置の開閉稼動に依る排水の放出と排水の放出停止が上方設置の「外周筒内海中空間」の加圧減圧稼動に依り確実に行なわれる事となる。
次に排出完了後には「排圧搾上下稼動押出し装置」が定位置の最底部迄降下到達となれば次の排出行為の為に上方よりの排出の流入準備を行なう為に、「排水流入停止双方稼動装置」の開口を行ない、上昇が始まれば当然本装置の上昇に伴う、強烈な上昇負圧の発生が起こると同時に直接深海外海への排水放出口を有する２ツの内外筒排出口部分よりの侵入となる逆侵入も同時に起こる事となる。
そしてこの逆侵入対策対応としてまず「圧搾排出中間装置筒」内上方部分に設置がされた「中間筒内海中空間」部分からの排出空気の排出継続に依る減圧を行なう事に依り、「排出外周筒内直接吸引負圧活用海水圧排圧調整口」部分よりの深海海水の直接流入となりその海水流入が、前記減圧操作が行なわれている「中間筒内海中空間」の働きとの相乗効果となり「圧搾排出内筒排出口」より「圧搾排出内筒装置筒」内に流入する事となるが当然「圧搾排出内筒装置筒」内への流入海水は負圧の解消が短時間で解消されると同時に本深海海水の侵入水圧は外海海上喫水線部分の水位と貯留水槽内の排水位との水位差のみとなる為にその水深差水圧の解消の為の貯留水槽内での加圧調整、そして本装置内での「中間筒内海中空間」内の減圧等を活用しながら、深海海水の侵入水圧は、負圧解消後には殆んど海中発電船内への深海外海からの継続侵入は不可能となり、同時に「圧搾排出内筒装置筒」内に「深海外海直接排水内筒接続排出筒」より直接流入してこようとする深海海水は、上方設置の貯留水槽内Ａ図の通り「貯留水槽内排水放出水圧調整装置」に依る排出調整に依り簡単に「貯留水槽内排出侵入空気圧調整室」の空気圧の調整が行なわれる事に依り、僅かの時間で深海水の侵入が阻止がされ、「排出継続稼動昇降装置」の上昇稼動に依る負圧の解消と同時に深海外海より侵入がされる深海海水の侵入も阻止がされる事となる。
そして本排出装置設備の最大の懸案事項である排水の排出、停止、次回排出操作の為の安定した排出押出し連続稼動装置の上下動稼動等、又排出時から停止活動そして次回の排出稼動等に依る円滑な自然の深海海中を活用利用すると同時に「貯留圧搾排水外周筒内排吸圧調圧筒」等の活用に依る、殆んど深海水圧とは無縁の「貯留圧搾排水外周筒」内の排水を常時安定された「迎え水」としての活用を行ない、急激な深海海中への排出停止から上昇に依る深海海中よりの直接高圧海水の侵入等への対策の為に本三層円筒の設置を行なう事に依り、自然な海中水圧の活用を狙った装置であり、圧搾排出等の設備装置の稼動に依り侵入防止三層構造の内で深海海水の侵入に対する安定した侵入と安定した排出排水を目指した「貯留水圧搾外海排出三層構造排水継続装置」
【発明の詳細な説明】
【技術分野】
【０００１】  深海海中に排水用の三重の円筒を設置をし、排圧搾時には強力な排圧排出力の稼動を行なう事に依り、充分に排出が可能な事はよく理解される事が出来るが、継続された排出を行なう為に人間の呼吸と同様に吸気の時の深海水圧に依る強烈な侵入海水の阻止が可能となれば完全な排出、完全な吸引に依る安定した海中発電活動に依り発生する大容量排水の排出活動の継続が可能となる事を目指したものである。【０００２】  本発明は人間の恐怖の最大の対象である深海海水の逆侵入に対しての考え方を覆す発見であり、多くの魚達が深海海中に於いて口を開閉する事と同様に人間が深海海中にて発電の稼動継続を可能とする発見であり海中発電が大きく前進する事となる。【０００３】  以上の通り図１にて説明する。【０００４】  まず三層の円筒の一番内側筒には上下稼動に依る排圧排出装置の設置とその排水を直接深海外海への排出が可能な排出内筒を設置をし、この内側筒のすぐ外側部分にも外側筒への排出口を設置をし、この外側筒部分からも直接深海外海への排出が出来る排出筒が設置される事となる。
そしてこの中間筒部分となる天井部分は完全な密閉天井でありこの中間筒部分での排出圧力は、内筒部分内での圧縮装置稼動に依る排出圧力の「圧搾排出内筒排出口」よりの侵入と本中間筒上部部分に設置がされた「中間筒内海中空間」の稼動に依る高圧空気の噴出に依る排水の深海外海への排圧排出力の強力化を目指すものである。
この内側２ツの内外筒が強烈な排出稼働時には、１番外周筒である３番目の外側円筒に於いては、図１の通り完全に常時上方接続装置の海中発電船内貯留水槽内よりの直接の排水の侵入が常時行なわれており、この３番目の外側円筒よりの深海外海への排出は殆ど起こり得ない事であるが、本排出装置にとって最大の懸案事項である「圧搾排出装置」の停止後よりの上昇時に起こるであろう深海海水の侵入等は、本３番目１番外側円筒部分の設置が大きな緩衝部分の役目を担う事となる。
なぜなら１番内側筒と中間筒部分には直接排出筒が各々設置されているが、排出完了時点ではまだ充分な圧搾排出圧力が各々筒内には存在しており、瞬時の深海海水の侵入には圧搾排出力の消滅が必要となるが、まず１番内側筒内の「排圧搾上下稼動押出し装置」はその内筒接続排出筒への排出口部分にて降下停止がなされその排出口を完全に塞ぐ事となる。
そしてそのすぐ外側の中間筒部分内に設置がされた「中間筒内海中空間」部分では強力な高圧空気の充満に依りしっかりとした水圧の維持が持続されている為に外海に直結された「排出外周筒内直接吸引負圧活用海水圧排圧調整口」部分からの逆侵入も暫くの間は起こり得ない事となる。
又その時にも三番目の外周筒内への深海海水の侵入は「浮力活用排水圧調整開閉装置」が働いて深海海水の侵入を阻止する事となる。
そして１番内側筒内と中間筒よりの強烈な圧搾排出稼動終了後に次の排出活動の為に圧搾排出装置の稼動準備の為の上昇を行なう為に、その圧搾装置の上昇を行なう事とすれば、まずこの１番内側筒部分より直接深海外海へ直接直結された排出口より強烈な逆侵入となる事となるが、その時に瞬時に図１内の１番外側筒内に設置がされた「外周筒内海中空間」内に高圧空気の噴出が行なわれ、短時間で「浮力活用排水圧調整開閉装置」が稼動をし、内外２本の円筒排出口が閉鎖される事となり、深海海水の侵入が停止される事となる。
次に１番内側筒内の排水排圧装置が段々と上昇を始める事となるが、どうしても負圧は発生する事となる。
その強烈な負圧の解消の為には、まず「中間筒内海中空間」部分の高圧空気の排出を行なう事とし、当然高圧空気の排出のみの為に簡単な作業となり、瞬時に１番内側筒内の負圧の解消となり、同時に容易に「排圧搾上下稼動押出し装置」の上昇となり、次の圧搾排出稼動の準備が行なわれる事となり、所定の定位置迄上昇が完了すれば、まず「外周筒内海中空間」内の高圧空気の放出に依る減圧を行ない下部２本の内外外海排出口部分の開口と、「中間筒内海中空間」部分への高圧空気の噴出が行なわれる事となる。
人間が自然な状態で呼吸をするが如く本装置設備の活躍に依るより自然な排水排出活動が、深海海中にて行なわられる事となる。【０００５】
【特許文献】特にありません。
【発明の概要】
【発明が解決しようとする課題】  深海海中へ海中発電船よりの排出排水は圧搾放出等を行なえば簡単に行なえる事等は水鉄砲等を連想すれば行なえる事等は理解が出来るがそれを繰り返し継続さす事に於いて、循環された排出から次の排出準備等の時に必ず深海海中に於ける強烈な逆侵入を想定せざるを得ない為に、いかにしてその逆侵入の負荷を軽減さすかを考察したものである。
【課題を解決するための手段】  深海海中での水圧は海中空間の存在に対しては一極集中的な強烈な逆侵入がなされる事となる為に、深海外海への排水排出時等への準備は充分に行なえる事となるが、本案件の通り再度圧搾装置の再稼働準備の為の行為を稼動さす時には必ず、深海海水の侵入を完壁に遮断する事等は不可能であるが、ある程度の「あそび」部分程度の侵入を認めつつ、殆どその深海海水の侵入を自然な形で押さえ込み乍ら「人間が空気を吸って息を吐き出す」様な自然の状態の中で何の負荷も無く継続される事にヒントを得た排出方法を考案したものであり、本装置設備の最大の狙いである深海海水をより自然な形で海中船内排出装置に最小限量の吸い込む事を狙った装置設備であり〔図１〕内の「貯留圧搾排水外周筒内排吸圧調圧筒」部分よりの排水の侵入と排出が、深海外海よりの侵入緩衝材的な強力な働きをする事となり、最大の難敵である深海海水の強烈な侵入の恐怖が本装置に依り大きく解消される事となる。
その理由は〔図１〕の通り本三層構造排水継続装置筒内には各海中空間以外での空間空気部分等は全く存在せず特に一番外周筒部分筒内に存在する海水は常時大気圏内１気圧内の普通の水深負荷の懸かるだけの排水でしか無く、排出終了後に停止装置「外周筒内海中空間」からの高圧空気噴出稼動に依る内側設置内外筒部分よりの排出活動停止後の排出口閉鎖が行なわれる事となり、当然、瞬時に深海外海よりの逆噴出の侵入が起こる事となるが、当然上方方向への侵入は「外周筒内海中空間」部分の為に侵入は絶対不可能であり、下方の「貯留圧搾排水外周筒内排吸圧調圧筒」部分への逆侵入は当然海上喫水線海水位と「海中発電船内排水貯留水槽」内の水位差のみの自然な噴出力となるが、その「海中発電船内排出貯留水槽」内に設置がされた「貯留水槽内排水放出水圧調整装置」の活用に依る一種の海中空間設置に依る深海海水の逆侵入力となる「水位差」部分のみの噴出侵入力も簡単に抑え込まれる事となり、同時にただ一方的に深海水の侵入を排除するものでもない為に、ほぼ自然な形で人間が呼吸を繰り返すが如く、一方的な深海海水の侵入拒絶のみを行なう事も無く、深海海水の侵入を行ない乍ら、深海海中へ継続された大容量排水の排出が自然な形で排出放出が繰り返される行為が永続的に続けられる事となる。
【発明の効果】  水鉄砲の原理を活用し排出後にどうしても起こるであろう深海外海よりの逆侵入をいかに自然な負荷の少ない形での阻止が出来るかを考案したものであり、本装置の考案に依り前記の通りいくら深海中であっても圧搾に依る排出は簡単であり「鯨」が又「鮪」が水深３００ｍ下でも口の開閉は全く不可能でない事は誰でも理解が出来、当然殆ど逆侵入等は起こらないものである。
後はいかに本海中発電船内に深海海中よりの強烈な逆侵入を阻止が出来るのかが、大きな課題であったが、本三重筒装置の考察に依り、新たに新排出方法の発見となるものである。
【図面の簡単な説明】
【図１】海中発電船内よりの排水を深海海中に放出の為に、三重の〔図１〕の通りの設置を行なう事とする。そして都合３ヶ所の海中空間部分の活用を行ない乍ら、順次排水の排出を「排出継続稼動昇降装置」の上下稼動を行ない乍ら、同時に前記装置の停止上昇時には深海外海に直接直結された二重筒内の排出口を「外周筒内海中空間」内の「浮力活用排水圧調整開閉装置」に依り調整を行なう事に依り継続された圧搾排出を繰り返すものである。又上記「浮力活用排水圧調整開閉装置」の上下稼動は鋼鉄等の重量物に依る降下圧力の活用の併用も可とするものとする。
【発明を実施するための形態】
〔図１〕海中発電船内排出用貯留水槽内の上部部分に〔図１〕の通り「貯留水槽内排水放出水圧調整装置」部分の設置に依り、大切な「排出継続稼動昇降装置」の降下稼動に依る圧搾排出終了時の次回排出行為の為の上昇稼動に転換時に於いて必ず深海外海部分に直接排出口が設置されている２本の内外筒排出口部分より各々の逆侵入が当然起こる事となるが、その直前に「外周筒内海中空間」内の高圧空気の噴出を行ない、「浮力活用排水圧調整開閉装置」に依る排出口の各々閉鎖を行なう事とし、同時に「排出継続稼動昇降装置」の上昇に依る「圧搾排出内筒装置筒」内下方部分の強烈な負圧の軽減の為に「中間筒内海中空間」部分の高圧空気排出に依る減圧を行なう事に依り、前記負圧の解消を助けると同時に圧搾排出活動終了時より、次回の圧搾活動の為の反転上昇時迄の僅かの時間帯に於いても当然深海外海よりの貯留水槽内の排水喫水面に向かっての強烈な深海海水の流入が起こる事と当然なるが、一番最初に記述の通り、上方貯留水槽内の排水喫水線上の空間部分は完全にその時の深海海水侵入防止の為の対策がしっかりと行なわれている為に即時に深海海水の侵入は阻止がされると同時に、「外周筒内海中空間」内に高圧空気の噴出に依る「浮力活用排水圧調整開閉装置」の深海外海に直結された内外２本の排出筒内の排出口が閉鎖されると同時にその排出停止時より次回の排圧搾準備の為の僅かの上昇稼動切り換え時での高圧空気噴出の時間等に於ける深海外海よりの強烈な逆侵入等に対して強力な緩衝部分としても大切な「貯留圧搾排水外周筒内排吸圧調圧筒」部分と「貯留水槽内排水放出水圧調整装置」の設置に依る強烈な深海外海よりの侵入の緩慢を狙ったものであり、その僅かな時間での強烈な逆侵入
2014189274.tif 000003
呼吸するが如く、深海海中に於いても、大容量排水が海上喫水線部分よりの流入による発電活動済排水として深海外海へほぼ排出の抵抗も無く次々と排出の継続が自然な姿で行なわられる事となるものである。
そして上方発電船内貯留水槽内よりの排水の流入は〔図１〕の上部分の通り「第１外周高圧空気調整室」よりの「負圧解消高圧空気噴出吸入調整装置」の活用を行ない乍ら、安定した排水の送入を常時「圧搾排出内筒装置筒」内へと流入が行なわれる事となる。
【図１】
2014189274.tif 000004